(57)【要約】【課題】来客の存在を確実に把握できると共に、家族等に迷惑をかけることのないネットワーク通信装置を提供すること。【解決手段】制御部４１、スピーカ４４、音量調節部４３を有し、室内親機２にネットワーク接続されて室内親機２と同室内に設置されるオーディオ装置４を備え、室内親機２は、制御部２１と、スピーカ２３と、制御部４１より制御され、玄関子機１から呼び出された場合に室内の音量を測定する音量測定部２５とを有し、制御部２１は、音量測定部２５で測定された音量が予め設定された第１のしきい値を超えている場合、音量低下指示信号をネットワーク１０を介して制御部４１に送信し、制御部４１は、音量低下指示信号を受信して、スピーカ４４の音量が第１のしきい値以下に低下するように音量調節部４３を制御し、制御部２１は、予め設定された第１の音量のインターホン呼出音を出力させる。【選択図】図１
2006180332.tif 000002
【特許請求の範囲】
【請求項１】
玄関子機および室内親機を含み、前記玄関子機から前記室内親機を呼び出して前記室内親機からインターホン呼出音を出力するネットワーク通信装置であって、
制御部、スピーカ、および前記制御部により制御されて前記スピーカの音量を調節する音量調節部を有し、前記室内親機にネットワーク接続されて前記室内親機と同室内に設置されるオーディオ装置を備え、
前記室内親機は、制御部と、スピーカと、前記制御部より制御され、前記玄関子機から呼び出された場合に室内の音量を測定する音量測定部とを有し、
前記室内親機の制御部は、前記音量測定部で測定された音量が予め設定された第１のしきい値を超えている場合、音量低下指示信号をネットワークを介して前記オーディオ装置の制御部に送信し、
前記オーディオ装置の制御部は、前記音量低下指示信号を受信して、前記スピーカの音量が前記第１のしきい値以下に低下するように前記音量調節部を制御し、
前記室内親機の制御部は、予め設定された第１の音量のインターホン呼出音を出力させる
ことを特徴とするネットワーク通信装置。
【請求項２】
請求項１記載のネットワーク通信装置において、
前記室内親機は、現在時刻を取得する時計機能部をさらに有し、
前記現在時刻が予め設定された時間帯にある場合、前記室内親機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、
前記オーディオ装置の制御部は、前記音量低下指示信号を受信して、前記スピーカの音量が前記第２のしきい値以下に低下するように前記音量調節部を制御し、
前記室内親機の制御部は、前記第１の音量より低い予め設定された第２の音量のインターホン呼出音を出力させる
ことを特徴とするネットワーク通信装置。
【請求項３】
玄関子機、室内親機および室内子機を含み、前記玄関子機から前記室内親機を介して前記室内子機を呼び出して前記室内子機からインターホン呼出音を出力するネットワーク通信装置であって、
制御部、および前記制御部より制御され、前記室内の音量を測定する音量測定部を有し、前記室内親機にネットワーク接続されて前記室内親機と異なる室内に設置される室内子機と、
制御部、スピーカ、および前記制御部により制御されて前記スピーカの音量を調節する音量調節部を有し、前記室内子機にネットワーク接続されて前記室内子機と同室内に設置されるオーディオ装置とを備え、
前記室内親機は、前記玄関子機から呼び出された場合に、呼出信号を前記室内子機にネットワークを介して送信し、
前記室内子機の制御部は、前記室内親機より前記呼出信号を受信した場合に前記音量測定部で前記室内の音量を測定させ、前記音量測定部で測定された音量が予め設定された第１のしきい値を超えている場合、音量低下指示信号をネットワークを介して前記オーディオ装置の制御部に送信し、
前記オーディオ装置の制御部は、前記第１の音量低下指示信号を受信して、前記スピーカの音量が前記第１のしきい値以下に低下するように前記音量調節部を制御し、
前記室内子機の制御部は、予め設定された第１の音量のインターホン呼出音を出力させる
ことを特徴とするネットワーク通信装置。
【請求項４】
請求項３記載のネットワーク通信装置において、
前記室内親機は、現在時刻を取得する時計機能部をさらに有し、前記玄関子機から呼び出された場合に、前記呼出信号および現在時刻情報を前記室内子機にネットワークを介して送信し、
前記現在時刻が予め設定された時間帯にある場合、前記室内子機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、
前記オーディオ装置の制御部は、前記音量低下指示信号を受信して、前記スピーカの音量が前記第２のしきい値以下に低下するように前記音量調節部を制御し、
前記室内親機の制御部は、前記第１の音量より低い予め設定された第２の音量のインターホン呼出音を出力させる
ことを特徴とするネットワーク通信装置。
【請求項５】
玄関子機、室内親機および室内子機を含み、前記玄関子機から前記室内親機を介して前記室内子機を呼び出して前記室内子機からインターホン呼出音を出力するネットワーク通信装置であって、
各室内に設置され、前記各室を識別する識別コードを送信する赤外線発信機と、
前記室内親機にネットワーク接続され、制御部と、前記制御部より制御され、前記室内の音量を測定する音量測定部と、前記赤外線発信機より送信される識別コードを受信する赤外線受光部とを有し、ポータブル化された室内子機と、
前記室内子機にネットワーク接続されていずれかの室内に設置され、前記識別コードを保有する制御部、スピーカ、および前記制御部により制御されて前記スピーカの音量を調節する音量調節部を有するオーディオ装置とを備え、
前記室内親機は、前記玄関子機から呼び出された場合に、呼出信号を前記室内子機にネットワークを介して送信し、
前記室内子機の制御部は、前記室内親機より前記呼出信号を受信した場合に前記音量測定部で前記室内子機が存在する室内の音量を測定させ、前記音量測定部で測定された音量が予め設定された第１のしきい値を超えている場合、音量低下指示信号をネットワークを介して前記室内子機が存在する室内に置かれている前記オーディオ装置の制御部に送信し、
前記オーディオ装置の制御部は、前記音量低下指示信号を受信して、前記スピーカの音量が前記第１のしきい値以下に低下するように前記音量調節部を制御し、
前記室内子機の制御部は、予め設定された第１の音量のインターホン呼出音を出力させる
ことを特徴とするネットワーク通信装置。
【請求項６】
請求項５記載のネットワーク通信装置において、
前記室内親機は、現在時刻を取得する時計機能部をさらに有し、前記玄関子機から呼び出された場合に、前記呼出信号および現在時刻情報を前記室内子機にネットワークを介して送信し、
前記現在時刻が予め設定された時間帯にある場合、前記室内子機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、
前記オーディオ装置の制御部は、前記音量低下指示信号を受信して、前記スピーカの音量が前記第２のしきい値以下に低下するように前記音量調節部を制御し、
前記室内親機の制御部は、前記第１の音量より低い予め設定された第２の音量のインターホン呼出音を出力させる
ことを特徴とするネットワーク通信装置。
【発明の詳細な説明】
【技術分野】
【０００１】
本発明は、玄関子機および室内親機を含み、玄関子機から室内親機を呼び出して室内親機からインターホン呼出音を出力するネットワーク通信装置に関する。
【背景技術】
【０００２】
現在状況に応じて、インターホンの音量を変化させる需要が存在する。このような需要を満足させる技術として、たとえば、特開平１１−２６１７１０号公報（特許文献１）に開示されているように、呼び出し確認音の音量を小さくすることができるものがある。
【０００３】
また、特開２００３−１８２４６号公報（特許文献２）に開示されているように、インターホンが鳴らされたことを知らせるための報知音声をオーディオ装置の再生音声に割り込ませることにより、大音量再生時でも来客があったことを知らせるものもある。
【０００４】
さらに、インターホンが鳴らされた際に、室内で使用中のオーディオ装置の音量が大きすぎて、呼び出し音が聞こえないことがある。その時は、来客を待たせてしまったり、来客のあることが分からないままになってしまうことがある。このような場合に、特開２００２−２６１９４５号公報（特許文献３）に開示されているように、室内にあるインターホン親機周辺の周囲騒音のレベルを検出して、周囲騒音レベルが高ければ、親機から鳴動させる呼出音の音量を大きくするインターホン装置がある。
【特許文献１】特開平１１−２６１７１０号公報
【特許文献２】特開２００３−１８２４６号公報
【特許文献３】特開２００２−２６１９４５号公報
【発明の開示】
【発明が解決しようとする課題】
【０００５】
しかしながら、上述の特開平１１−２６１７１０号公報に開示されている技術では、インターホン側の呼び出し確認音を手動でミュートすることしかできないという問題がある。
【０００６】
また、特開２００３−１８２４６号公報に開示されている技術では、大音量再生にインターホン報知音が加わることになり、全体の音量が大きくなりすぎて家族等の迷惑になることがあるという問題がある。
【０００７】
同様に、特開２００２−２６１９４５号公報に開示されている技術では、周囲騒音レベルが高くなると、呼出音の音量も高くなるため、全体の音量が大きくなりすぎて家族等の迷惑になることがあるという問題がある。
【０００８】
そこで本発明は、上述した従来の問題点に鑑み、来客の存在を確実に把握できると共に、家族等に迷惑をかけることのないネットワーク通信装置を提供することを目的としている。
【課題を解決するための手段】
【０００９】
請求項１記載の発明は、玄関子機および室内親機を含み、前記玄関子機から前記室内親機を呼び出して前記室内親機からインターホン呼出音を出力するネットワーク通信装置であって、制御部、スピーカ、および前記制御部により制御されて前記スピーカの音量を調節する音量調節部を有し、前記室内親機にネットワーク接続されて前記室内親機と同室内に設置されるオーディオ装置を備え、前記室内親機は、制御部と、スピーカと、前記制御部より制御され、前記玄関子機から呼び出された場合に室内の音量を測定する音量測定部とを有し、前記室内親機の制御部は、前記音量測定部で測定された音量が予め設定された第１のしきい値を超えている場合、音量低下指示信号をネットワークを介して前記オーディオ装置の制御部に送信し、前記オーディオ装置の制御部は、前記音量低下指示信号を受信して、前記スピーカの音量が前記第１のしきい値以下に低下するように前記音量調節部を制御し、前記室内親機の制御部は、予め設定された第１の音量のインターホン呼出音を出力させることを特徴とする。
【００１０】
請求項２記載の発明は、請求項１記載のネットワーク通信装置において、前記室内親機は、現在時刻を取得する時計機能部をさらに有し、前記現在時刻が予め設定された時間帯にある場合、前記室内親機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、前記オーディオ装置の制御部は、前記音量低下指示信号を受信して、前記スピーカの音量が前記第２のしきい値以下に低下するように前記音量調節部を制御し、前記室内親機の制御部は、前記第１の音量より低い予め設定された第２の音量のインターホン呼出音を出力させることを特徴とする。
【００１１】
請求項３記載の発明は、玄関子機、室内親機および室内子機を含み、前記玄関子機から前記室内親機を介して前記室内子機を呼び出して前記室内子機からインターホン呼出音を出力するネットワーク通信装置であって、制御部、および前記制御部より制御され、前記室内の音量を測定する音量測定部を有し、前記室内親機にネットワーク接続されて前記室内親機と異なる室内に設置される室内子機と、制御部、スピーカ、および前記制御部により制御されて前記スピーカの音量を調節する音量調節部を有し、前記室内子機にネットワーク接続されて前記室内子機と同室内に設置されるオーディオ装置とを備え、前記室内親機は、前記玄関子機から呼び出された場合に、呼出信号を前記室内子機にネットワークを介して送信し、前記室内子機の制御部は、前記室内親機より前記呼出信号を受信した場合に前記音量測定部で前記室内の音量を測定させ、前記音量測定部で測定された音量が予め設定された第１のしきい値を超えている場合、音量低下指示信号をネットワークを介して前記オーディオ装置の制御部に送信し、前記オーディオ装置の制御部は、前記第１の音量低下指示信号を受信して、前記スピーカの音量が前記第１のしきい値以下に低下するように前記音量調節部を制御し、前記室内子機の制御部は、予め設定された第１の音量のインターホン呼出音を出力させることを特徴とする。
【００１２】
請求項４記載の発明は、請求項３記載のネットワーク通信装置において、前記室内親機は、現在時刻を取得する時計機能部をさらに有し、前記玄関子機から呼び出された場合に、前記呼出信号および現在時刻情報を前記室内子機にネットワークを介して送信し、前記現在時刻が予め設定された時間帯にある場合、前記室内子機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、前記オーディオ装置の制御部は、前記音量低下指示信号を受信して、前記スピーカの音量が前記第２のしきい値以下に低下するように前記音量調節部を制御し、前記室内親機の制御部は、前記第１の音量より低い予め設定された第２の音量のインターホン呼出音を出力させることを特徴とする。
【００１３】
請求項５記載の発明は、玄関子機、室内親機および室内子機を含み、前記玄関子機から前記室内親機を介して前記室内子機を呼び出して前記室内子機からインターホン呼出音を出力するネットワーク通信装置であって、各室内に設置され、前記各室を識別する識別コードを送信する赤外線発信機と、前記室内親機にネットワーク接続され、制御部と、前記制御部より制御され、前記室内の音量を測定する音量測定部と、前記赤外線発信機より送信される識別コードを受信する赤外線受光部とを有し、ポータブル化された室内子機と、前記室内子機にネットワーク接続されていずれかの室内に設置され、前記識別コードを保有する制御部、スピーカ、および前記制御部により制御されて前記スピーカの音量を調節する音量調節部を有するオーディオ装置とを備え、前記室内親機は、前記玄関子機から呼び出された場合に、呼出信号を前記室内子機にネットワークを介して送信し、前記室内子機の制御部は、前記室内親機より前記呼出信号を受信した場合に前記音量測定部で前記室内子機が存在する室内の音量を測定させ、前記音量測定部で測定された音量が予め設定された第１のしきい値を超えている場合、音量低下指示信号をネットワークを介して前記室内子機が存在する室内に置かれている前記オーディオ装置の制御部に送信し、前記オーディオ装置の制御部は、前記音量低下指示信号を受信して、前記スピーカの音量が前記第１のしきい値以下に低下するように前記音量調節部を制御し、前記室内子機の制御部は、予め設定された第１の音量のインターホン呼出音を出力させることを特徴とする。
【００１４】
請求項６記載の発明は、請求項５記載のネットワーク通信装置において、前記室内親機は、現在時刻を取得する時計機能部をさらに有し、前記玄関子機から呼び出された場合に、前記呼出信号および現在時刻情報を前記室内子機にネットワークを介して送信し、前記現在時刻が予め設定された時間帯にある場合、前記室内子機の制御部は、前記第１のしきい値をそれより低い第２のしきい値に設定変更し、前記音量測定部で測定された音量が前記第２のしきい値を超えている場合、音量低下指示信号をネットワークを介して前記オーディオ装置の制御部に送信し、前記オーディオ装置の制御部は、前記音量低下指示信号を受信して、前記スピーカの音量が前記第２のしきい値以下に低下するように前記音量調節部を制御し、前記室内親機の制御部は、前記第１の音量より低い予め設定された第２の音量のインターホン呼出音を出力させることを特徴とする。
【発明の効果】
【００１５】
請求項１記載の発明によれば、玄関でインターホンが押された際に、室内親機を設置した室内で使用中のオーディオ装置の音量を第１のしきい値以下に下げるように制御して、第１の音量のインターホン呼出音を聞こえるようにし、来客の存在を確実に把握できる。
【００１６】
請求項２記載の発明によれば、予め設定された時間帯、たとえば深夜から早朝の時間帯において玄関でインターホンが押された際に、室内親機を設置した室内で使用中のオーディオ装置の音量を第１のしきい値より低い第２のしきい値以下に下げるように制御して、第１の音量より低い第２の音量のインターホン呼出音を聞こえるようにし、来客の存在を確実に把握できると共に、家族等に迷惑をかけることがなくなる。
【００１７】
請求項３記載の発明によれば、玄関でインターホンが押された際に、室内子機を設置した室内で使用中のオーディオ装置の音量を第１のしきい値以下に下げるように制御して、第１の音量のインターホン呼出音を聞こえるようにし、来客の存在を確実に把握できる。
【００１８】
請求項４記載の発明によれば、予め設定された時間帯、たとえば深夜から早朝の時間帯において玄関でインターホンが押された際に、室内子機を設置した室内で使用中のオーディオ装置の音量を第１のしきい値より低い第２のしきい値以下に下げるように制御して、第１の音量より低い第２の音量のインターホン呼出音を聞こえるようにし、来客の存在を確実に把握できると共に、家族等に迷惑をかけることがなくなる。
【００１９】
請求項５記載の発明によれば、玄関でインターホンが押された際に、持ち運び可能な室内子機が置かれている室内で使用中のオーディオ装置の音量を第１のしきい値以下に下げるように制御して、第１の音量のインターホン呼出音を聞こえるようにし、来客の存在を確実に把握できる。
【００２０】
請求項６記載の発明によれば、予め設定された時間帯、たとえば深夜から早朝の時間帯において玄関でインターホンが押された際に、持ち運び可能な室内子機が置かれている室内で使用中のオーディオ装置の音量を第１のしきい値より低い第２のしきい値以下に下げるように制御して、第１の音量より低い第２の音量のインターホン呼出音を聞こえるようにし、来客の存在を確実に把握できると共に、家族等に迷惑をかけることがなくなる。
【発明を実施するための最良の形態】
【００２１】
以下、本発明の最良の形態について図面を参照して説明する。図１は、本発明に係るネットワーク通信装置の最良の形態を示すブロック図である。
【００２２】
ネットワーク通信装置は、ユーザー宅の玄関に設置された玄関子機１と、ユーザー宅の室（たとえば、Ａ室）内に設置された室内親機２と、ユーザー宅において室内親機２と別の室（たとえば、Ｂ室）内に置かれている室内子機３と、室内親機２と同じ室内に設置されているオーディオ装置４と、室内子機３と同じ室内に設置されているオーディオ装置５とを含む。玄関子機１、室内親機２、室内子機３、オーディオ装置４およびオーディオ装置５は、たとえばＬＡＮ等のネットワーク１０を介して互いに通信可能に接続されている。
【００２３】
玄関子機１は、ＣＰＵ等からなる制御部１１と、制御部１１に接続されたマイク１２、スピーカ１３および呼出ボタン１４とから構成されている。
【００２４】
室内親機２は、ＣＰＵ等からなる制御部２１と、制御部２１に接続されたマイク２２、スピーカ２３、応答ボタン２４、音量測定部２５および時計機能部２６とから構成されている。音量測定部２５は、室内親機２が設置されている室内の音量を測定するものである。時計機能部２６は、現在時刻を取得するためのものである。
【００２５】
室内子機３は、ＣＰＵ等からなる制御部３１と、制御部３１に接続されたマイク３２、スピーカ３３、応答ボタン３４および音量測定部３５とから構成されている。音量測定部３５は、室内子機２が置かれる室内の音量を測定するものである。
【００２６】
オーディオ装置４は、ＣＰＵ等からなる制御部４１と、オーディオソース４２と、制御部４１およびオーディオソース４２に接続された音量調節器４３と、音量調節器４３に接続されたスピーカ４４とから構成されている。
【００２７】
オーディオ装置５は、ＣＰＵ等からなる制御部５１と、オーディオソース５２と、制御部５１およびオーディオソース５２に接続された音量調節器５３と、音量調節器５３に接続されたスピーカ５４とから構成されている。
【００２８】
次に、上述の構成を有するネットワーク通信装置の動作について説明する。ユーザー宅の玄関に来客があり、来客によって玄関子機１の呼出ボタン１４が押されると、それに応じて制御部１１は、呼出情報を送る。
【００２９】
室内親機２の制御部２１は、ネットワーク１０を介して玄関子機１からの呼出情報を受け取り、それに応じて、室内親機２が設置されているＡ室内の音量を音量測定部２５で測定する。同時に、時計機能部２６により、現在時刻を取得する。
【００３０】
現在時刻情報は、室内に鳴らすインターホン呼出音の音量を調節するために使用される。特に、深夜から早朝にかけての時間帯は、大音量を出すには不適切な時間帯にあたるので、他の時間帯よりもインターホン呼出音の音量を低下させる。たとえば、インターホン呼出音は、家族が起きている時間帯（たとえば、午前６時から午後１１時）（以下、第１の時間帯という）は予め設定された第１の音量とし、家族が寝ている時間帯（すなわち、深夜から早朝（たとえば、午後１１時から午前６時）にかけての時間帯）（以下、第２の時間帯という）は予め設定された時間帯とし、この予め設定された時間帯では、第１の音量より低く予め設定された第２の音量とする。
【００３１】
次いで、制御部２１は、測定された室内音量がしきい値を超えているか否かを判定する。このしきい値は、現在時刻情報に基づき、現在時刻が第１の時間帯にある場合は、第１のしきい値に設定され、現在時刻が第２の時間帯（すなわち予め設定された時間帯）にある場合は、第１の閾値より低い第２のしきい値に設定変更される。たとえば、第１のしきい値は、第１の音量と同じ値またはそれ以下の任意の値に設定され、第２のしきい値は、第２の音量と同じ値またはそれ以下の任意の値に設定される。
【００３２】
そこで、時計機能部２６からの現在時刻情報に基づき現在時刻が第１の時間帯にある時は、測定された室内音量が第１のしきい値を超えている場合、制御部２１は、音量低下指示信号をネットワーク１０を介してオーディオ装置４の制御部４１へ送る。制御部４１は、受信した音量低下指示信号に基づいて、音量調節器４３でオーディオソース４２の出力を調節し、スピーカ４４の音量が第１のしきい値以下に低下するように制御する。
【００３３】
スピーカ４４の音量が第１のしきい値以下に低下し、音量測定部２５で測定される音量が第１のしきい値以下になると、室内親機２の制御部２１は、音量低下指示信号の送信を停止し、それと同時に、スピーカ２３より第１の音量のインターホン呼出音を出力し、ユーザーに知らせる。それにより、ユーザーは、オーディオ装置４を大音量で使用していても、来客の存在を確実に把握することができる。
【００３４】
一方、時計機能部２６からの現在時刻情報に基づき現在時刻が第２の時間帯にある時は、制御部２１は、しきい値を第１のしきい値から第２のしきい値に設定変更する。そして、測定された室内音量が第２のしきい値を超えている場合、制御部２１は、音量低下指示信号をネットワーク１０を介してオーディオ装置４の制御部４１へ送る。制御部４１は、受信した音量低下指示信号に基づいて、音量調節器４３でオーディオソース４２の出力を調節し、スピーカ４４の音量が第２のしきい値以下に低下するように制御する。
【００３５】
スピーカ４４の音量が第２のしきい値以下に低下し、音量測定部２５で測定される音量が第２のしきい値以下になると、室内親機２の制御部２１は、音量低下指示信号の送信を停止し、それと同時に、スピーカ２３より第２の音量のインターホン呼出音を出力し、ユーザーに知らせる。それにより、ユーザーは、オーディオ装置４を使用していても、第１の時間帯よりも低い音量のインターホン呼出音を聞き分けることができ、来客の存在を確実に把握することができ、また、家族に迷惑をかけることが無くなる。
【００３６】
なお、制御部２１からの音量低下指示信号の送信が停止すると、オーディオ装置４の制御部４１は、音量低下指示信号の受信停止から所定期間（たとえば、インターホン呼出音の出力時間に相当する数秒間）経過後に音量調節器４３による音量調節を解除して、元の音量をスピーカ４４から出力させる。
【００３７】
一方、室内子機３を利用する際には、来客時の呼出情報は、一度、室内親機２が受け取る。室内親機２の制御部２１に、室内子機３へ呼出情報を送る設定をしておく。このような設定により、玄関子機１より呼び出された場合は、制御部２１は、ネットワーク１０を介して室内子機３の制御部３１に、呼出情報と現在時刻情報を同時に送る。
【００３８】
室内子機３は、呼出情報と現在時刻情報を受け取ると、それに応じて、室内子機３が設置されているＢ室内の音量を音量測定部３５で測定する。
【００３９】
次いで、制御部３１は、測定された室内音量がしきい値を超えているか否かを判定する。このしきい値は、現在時刻情報に基づき、現在時刻が第１の時間帯にある場合は、第１のしきい値に設定され、現在時刻が第２の時間帯（すなわち予め設定された時間帯）にある場合は、第１の閾値より低い第２のしきい値に設定変更される。たとえば、第１のしきい値は、第１の音量と同じ値またはそれ以下の任意の値に設定され、第２のしきい値は、第２の音量と同じ値またはそれ以下の任意の値に設定される。
【００４０】
そこで、室内親機２から受け取った現在時刻情報に基づき現在時刻が第１の時間帯にある時は、測定された室内音量が第１のしきい値を超えている場合、制御部３１は、音量低下指示信号をネットワーク１０を介してオーディオ装置５の制御部５１へ送る。制御部５１は、受信した音量低下指示信号に基づいて、音量調節器５３でオーディオソース５２の出力を調節し、スピーカ５４の音量が第１のしきい値以下に低下するように制御する。
【００４１】
スピーカ５４の音量が第１のしきい値以下に低下し、音量測定部３５で測定される音量が第１のしきい値以下になると、室内子機３の制御部３１は、音量低下指示信号の送信を停止し、それと同時に、スピーカ３３より第１の音量のインターホン呼出音を出力し、ユーザーに知らせる。それにより、ユーザーは、オーディオ装置５を大音量で使用していても、来客の存在を確実に把握することができる。
【００４２】
一方、現在時刻情報に基づき現在時刻が第２の時間帯にある時は、制御部３１は、しきい値を第１のしきい値から第２のしきい値に設定変更する。そして、測定された室内音量が第２のしきい値を超えている場合、制御部３１は、音量低下指示信号をネットワーク１０を介してオーディオ装置５の制御部５１へ送る。制御部５１は、受信した音量低下指示信号に基づいて、音量調節器５３でオーディオソース５２の出力を調節し、スピーカ５４の音量が第２のしきい値以下に低下するように制御する。
【００４３】
スピーカ５４の音量が第２のしきい値以下に低下し、音量測定部３５で測定される音量が第２のしきい値以下になると、室内子機３の制御部３１は、音量低下指示信号の送信を停止し、それと同時に、スピーカ３３より第２の音量のインターホン呼出音を出力し、ユーザーに知らせる。それにより、ユーザーは、オーディオ装置５を使用していても、第１の時間帯よりも低い音量のインターホン呼出音を聞き分けることができ、来客の存在を確実に把握することができ、また、家族に迷惑をかけることが無くなる。
【００４４】
なお、制御部３１からの音量低下指示信号の送信が停止すると、オーディオ装置５の制御部５１は、音量低下指示信号の受信停止から所定期間（たとえば、インターホン呼出音の出力時間に相当する数秒間）経過後に音量調節器５３による音量調節を解除して、元の音量をスピーカ５４から出力させる。
【００４５】
以上の通り、本発明の最良の形態について説明したが、本発明はこれに限らず、種々の変形、応用が可能である。
【００４６】
たとえば、上述の最良の形態では、室内子機３はＢ室内に設置されているが、他の実施形態として、室内子機３をポータブル化し、別の室内に持ち運び可能に構成しても良い。
【００４７】
図２は、本発明に係るネットワーク通信装置の他の実施形態を示すブロック図である。図２のネットワーク通信装置は、図１のネットワーク通信装置とほぼ同一構成を有するが、主に、室内子機３がポータブル化され、持ち運び可能になっている点と、Ｂ室の適宜な場所、たとえば天井に赤外線発信機６が設置されると共に、室内子機３に赤外線発信機６に対応する赤外線受光部３６が追加的に備えられている点が異なっている。
【００４８】
赤外線発信機６は、Ｂ室以外の他の室（図示しないが、Ｃ室やＤ室等）にも設置され、各室を識別する識別コードを定期的に送信するものである。赤外線受光部３６は、赤外線発信機６から送信される識別コードを受信するものである。制御部３１は、内蔵メモリ（図示しない）に識別コードと該識別コードに対応する室との関係を示すテーブルを予め保有しており、受信した識別コードから、持ち運び可能な室内子機３が現在どの室内に置かれているかを認識することができる。また、各室に設置されるオーディオ装置は、自身が設置されている室の識別コードを保有しており、たとえば、オーディオ装置５は、Ｂ室内に設置されていることを識別する識別コードを制御部５１内のメモリ（図示しない）に保有している。
【００４９】
上述の構成において、室内子機３を持ち運び、たとえば、オーディオ装置の設置されていない室内に置かれた時に玄関子機１から呼出情報が送られてきた場合、室内子機３は、当該室内に設置されている赤外線発信機６から送信される識別コードを赤外線受光部３６で受信し、室内子機３が現在どの室内に置かれているかを認識することができる。また、室内子機３は、室内子機３が置かれている室内の音量を音量測定部３５で測定する。そして、室内にはオーディオ装置が設置されていないため、測定された室内音量は第１のしきい値以下であり、制御部３１は、スピーカ３３より第１の音量のインターホン呼出音を出力し、ユーザーに知らせる。それにより、ユーザーは、来客の存在を確実に把握することができる。
【００５０】
一方、室内子機３を持ち運び、たとえば、オーディオ装置５の設置されているＢ室内に置かれた時に玄関子機１から呼出情報が送られてきた場合、室内子機３は、Ｂ室内に設置されている赤外線発信機６から送信される識別コードを赤外線受光部３６で受信し、室内子機３が現在Ｂ室内に置かれているかを認識することができる。また、室内子機３は、Ｂ室内の音量を音量測定部３５で測定する。
【００５１】
そこで、室内親機２から受け取った現在時刻情報に基づき現在時刻が第１の時間帯にある時は、測定された室内音量が第１のしきい値を超えている場合、制御部３１は、音量低下指示信号をネットワーク１０を介してオーディオ装置５の制御部５１へ送る。制御部５１は、受信した音量低下指示信号に基づいて、音量調節器５３でオーディオソース５２の出力を調節し、スピーカ５４の音量が第１のしきい値以下に低下するように制御する。
【００５２】
スピーカ５４の音量が第１のしきい値以下に低下し、音量測定部３５で測定される音量が第１のしきい値以下になると、室内子機３の制御部３１は、音量低下指示信号の送信を停止し、それと同時に、スピーカ３３より第１の音量のインターホン呼出音を出力し、ユーザーに知らせる。それにより、ユーザーは、オーディオ装置５を大音量で使用していても、来客の存在を確実に把握することができる。
【００５３】
一方、現在時刻情報に基づき現在時刻が第２の時間帯にある時は、制御部３１は、しきい値を第１のしきい値から第２のしきい値に設定変更する。そして、測定された室内音量が第２のしきい値を超えている場合、制御部３１は、音量低下指示信号をネットワーク１０を介してオーディオ装置５の制御部５１へ送る。制御部５１は、受信した音量低下指示信号に基づいて、音量調節器５３でオーディオソース５２の出力を調節し、スピーカ５４の音量が第２のしきい値以下に低下するように制御する。
【００５４】
スピーカ５４の音量が第２のしきい値以下に低下し、音量測定部３５で測定される音量が第２のしきい値以下になると、室内子機３の制御部３１は、音量低下指示信号の送信を停止し、それと同時に、スピーカ３３より第２の音量のインターホン呼出音を出力し、ユーザーに知らせる。それにより、ユーザーは、オーディオ装置５を使用していても、第１の時間帯よりも低い音量のインターホン呼出音を聞き分けることができ、来客の存在を確実に把握することができ、また、家族に迷惑をかけることが無くなる。
【００５５】
なお、制御部３１からの音量低下指示信号の送信が停止すると、オーディオ装置５の制御部５１は、音量低下指示信号の受信停止から所定期間（たとえば、インターホン呼出音の出力時間に相当する数秒間）経過後に音量調節器５３による音量調節を解除して、元の音量をスピーカ５４から出力させる。
【００５６】
このように、室内子機３をポータブル化させ、家庭内の持ち運びを自由に行えるものとすれば、家庭内には、ネットワーク１０を設置してあるので、ネットワーク１０と通信できる範囲でどこでも使用可能となる。また、室内子機３をポータブル化し持ち運ぶことにより、インターホンの呼出音が聞こえないということが無くなる。
【図面の簡単な説明】
【００５７】
【図１】本発明に係るネットワーク通信装置の最良の形態を示すブロック図である。
【図２】本発明に係るネットワーク通信装置の他の実施形態を示すブロック図である。
【符号の説明】
【００５８】
１    玄関子機
１０  ネットワーク
２    室内親機
２１  制御部
２３  スピーカ
２５  音量測定部
２６  時計機能部
３    室内子機
３１  制御部
３３  スピーカ
３５  音量測定部
３６  赤外線受光部
４    オーディオ装置
４１  制御部
４３  音量調節部
４４  スピーカ
５    オーディオ装置
５１  制御部
５３  音量調節部
５４  スピーカ
６    赤外線発信機
【図１】
2006180332.tif 000003
【図２】
2006180332.tif 000004